(57)【特許請求の範囲】
【請求項１】
単一の光透過性基板と、前記光透過性基板を挟んで前記光透過性基板の両面に積層された複数の有機ＥＬ素子とを有する有機ＥＬ光源と、
前記積層された複数の有機ＥＬ素子の一部または全部を選択して点灯する点灯回路と、
前記有機ＥＬ光源を回転させて、前記有機ＥＬ光源の発光面の向きを変えるハンドルを含む光源回転手段と、を備え、
前記光透過性基板のいずれか一方の面の最上層に積層された前記有機ＥＬ素子の上層に積層された反射層を有し、
前記反射層は、前記点灯回路によって選択され点灯される前記積層された有機ＥＬ素子から発光される光を反射し、
前記光透過性基板の一方の面に積層される前記有機ＥＬ素子の積層数と、前記光透過性基板の他方の面に積層される前記有機ＥＬ素子の積層数とが異なる、
ことを特徴とする有機ＥＬ照明装置。
【請求項２】
前記点灯回路は、前記複数の有機ＥＬ素子の発光強度を個別に調節する、
ことを特徴とする請求項１に記載の有機ＥＬ照明装置。
【請求項３】
前記複数の有機ＥＬ素子は、それぞれ発光色が異なる、
ことを特徴とする請求項１または２に記載の有機ＥＬ照明装置。
【発明の詳細な説明】
【技術分野】
【０００１】
本発明は、有機ＥＬ照明装置、特に調光機能を備える有機ＥＬ照明装置に関する。
【背景技術】
【０００２】
有機ＥＬ素子は、陽極と陰極の間に、ホール輸送層、発光層および電子注入層からなる発光部を挟持してなる発光素子である。また、この有機ＥＬ素子を光源とする有機ＥＬ照明装置が知られている。
【０００３】
例えば、特許文献１には、陽極と陰極の間に一層以上の発光層を有する有機ＥＬ素子を光透過性の基板上に形成した有機ＥＬ光源を複数積層配置するとともに、各有機ＥＬ光源を独立または連動して制御することにより、発光の強度および色調を変化させることを可能にした有機ＥＬ照明装置が開示されている。
【先行技術文献】
【特許文献】
【０００４】
【特許文献１】特開２００６−１５５９４０号公報
【発明の概要】
【発明が解決しようとする課題】
【０００５】
しかしながら、特許文献１に開示された有機ＥＬ照明装置は、有機ＥＬ光源の発光面の向きを自在に調節する手段を欠いているので、照明光の照射方向を調節するために、有機ＥＬ照明装置全体の向きを変えなければならないという問題があった。
【０００６】
また、特許文献１に開示された有機ＥＬ照明装置では、単一の基板上に有機ＥＬ素子を単層で配置しているので、有機ＥＬ素子を配置した基板を複数枚製造して、これらを積層する必要があるので、製造工程が煩雑になるという問題があった。
【０００７】
本発明は、上記実情に鑑みてなされたものであり、照明光の照射方向を自在に調節でき、かつ製造が簡単な有機ＥＬ照明装置を提供することを目的とする。
【課題を解決するための手段】
【０００８】
本発明に係る有機ＥＬ照明装置は、単一の光透過性基板と、前記光透過性基板を挟んで前記光透過性基板の両面に積層された複数の有機ＥＬ素子とを有する有機ＥＬ光源と、前記積層された複数の有機ＥＬ素子の一部または全部を選択して点灯する点灯回路と、前記有機ＥＬ光源を回転させて、前記有機ＥＬ光源の発光面の向きを変えるハンドルを含む光源回転手段と、を備え、前記光透過性基板のいずれか一方の面の最上層に積層された前記有機ＥＬ素子の上層に積層された反射層を有し、前記反射層は、前記点灯回路によって選択され点灯される前記積層された有機ＥＬ素子から発光される光を反射し、前記光透過性基板の一方の面に積層される前記有機ＥＬ素子の積層数と、前記光透過性基板の他方の面に積層される前記有機ＥＬ素子の積層数とが異なる、ことを特徴とする。
【発明の効果】
【０００９】
本発明によれば、照明光の照射方向を自在に調節して、照射方向を任意の方向に固定できる。また、単一の基板上に複数の有機ＥＬ素子を積層するので、複数の有機ＥＬ素子を積層した有機ＥＬ光源を備える有機ＥＬ照明装置を簡単に製造できる。
【図面の簡単な説明】
【００１０】
【図１】本発明の第１の実施形態を示す有機ＥＬ照明装置の外形図である。
【図２】有機ＥＬ照明装置を天井に取付けた状態を示す図である。（ａ）は外形図であり、（ｂ）は機能を示す側面図である。
【図３】本発明の第２の実施形態を示す有機ＥＬ照明装置の外形図である。
【図４】第２の実施形態に係る有機ＥＬ照明装置の変形例を示す図である。
【図５】本発明の第３の実施形態を示す有機ＥＬ照明装置の外形図である。
【図６】本発明の第４の実施形態を示す有機ＥＬ照明装置の外形図である。
【図７】本発明の第５の実施形態を示す有機ＥＬ照明装置の外形図である。
【図８】本発明の第６の実施形態を示す有機ＥＬ照明装置の外形図である。
【発明を実施するための形態】
【００１１】
以下、本発明の具体的な実施形態を、図面を参照しながら説明する。
【００１２】
（第１の実施形態）
図１に示した有機ＥＬ装置１は、実施形態の一例であり、有機ＥＬ光源２、回転モータ３及び点灯回路４とから構成される。
【００１３】
有機ＥＬ光源２は、ケーシング５の内部に基板６を収容して構成された光源装置であり、基板６の上面及び下面には、それぞれ第１の有機ＥＬ素子７及び第２の有機ＥＬ素子８が積層されている。
【００１４】
基板６は、第１及び第２の有機ＥＬ素子７，８を機械的に保持する平板であり、光透過性を有する素材で構成されていて、第１及び第２の有機ＥＬ素子７，８から発光される光は、基板６を透過して、基板６の反対側に向かうことができる。
【００１５】
第１及び第２の有機ＥＬ素子７，８は、陽極と陰極の間に発光部を挟持してなる公知の発光素子であり、図示しない電源装置から前記陽極陰極間に電圧を印加すると、発光部が発光する。
【００１６】
第１及び第２の有機ＥＬ素子７，８の発光色は、発光層に含まれる発光物質によって決まる。例えば、アントラセン、テトラセン、クマリン等を発光層に含有させれば、第１及び第２の有機ＥＬ素子７，８の発光色は赤色になる。また、キノリン金属誘導体、アミノキノリン誘導体等を発光層に含有させれば、緑色の発光が、アリールエチニルベンゼン誘導体、チオフェン誘導体等を発光層に含有させれば、青色の発光がそれぞれ得られる。
【００１７】
また、第１及び第２の有機ＥＬ素子７，８の発光強度は、印加する電圧の大小によって調節することができる。
【００１８】
なお、基板６への第１及び第２の有機ＥＬ素子７，８の積層は、真空蒸着等、公知の方法で行う。
【００１９】
また、ケーシング５の第１の有機ＥＬ素子７と対面する側には、窓９が開口し、第１及び第２の有機ＥＬ素子７，８から発光される光は、窓９を通って外部に放射される。
【００２０】
また、第２の有機ＥＬ素子８の上面には、反射層１０が形成されている。反射層１０は、第２の有機ＥＬ素子８の上面を通って、ケーシング５の内部に向かう第１及び第２の有機ＥＬ素子７，８から発光される光を反射して窓９に向け、窓９を通して外部に放射する。なお、反射層１０は、例えば、金属アルミニウムを第２の有機ＥＬ素子８の上面に蒸着して形成する。
【００２１】
回転モータ３は、回転軸１１が基板６と平行になるように、ケーシング５の上面に固定されている。また、回転軸１１は、回転モータ３の前後に延び、前後端で後述するフレームに固定される。そのため、回転モータ３を回転させると、有機ＥＬ光源２は回転軸１１回りに回動する。
【００２２】
このように、有機ＥＬ照明装置１は、有機ＥＬ光源２を回転させて、有機ＥＬ光源２の発光面の向きを自在に変えることができる。
【００２３】
点灯回路４は、ケーシング５の内部に収容された電気回路であって、図示しない外部の電源から供給される電力を制御して、第１及び第２の有機ＥＬ素子７，８の全てを、あるいは第１及び第２の有機ＥＬ素子７，８のいずれかを点灯する。また、点灯回路４は、第１及び第２の有機ＥＬ素子７，８の発光強度を個別に調節することもできる。
【００２４】
このような点灯回路４を備えるので、有機ＥＬ照明装置１は、発光色及び発光強度を自在に変更することができる。例えば、第１の有機ＥＬ素子７の発光層にアントラセンを含有させて赤色の発光が得られるようにするとともに、第２の有機ＥＬ素子８の発光層にキノリン金属誘導体を含有させて緑色の発光が得られるようにし、第１の有機ＥＬ素子７を単独で点灯すれば、有機ＥＬ照明装置１は赤色に発光し、第２の有機ＥＬ素子８を単独で点灯すれば、有機ＥＬ照明装置１は緑色に発光する。また、第１の有機ＥＬ素子７と第２の有機ＥＬ素子８を同時に点灯し、両者の発光強度の組み合わせを変えれば、黄色、橙色、茶色などの発光が得られる。
【００２５】
さて、有機ＥＬ照明装置１は、例えば、図２（ａ）に示すように、天井１２に取り付けて使用する。すなわち、上端を天井１２に固定されて垂下する一対のフレーム１３に回転モータ３の回転軸１１の端部を回転不能に固定する。回転軸１１がフレーム１３に固定されているので、回転モータ３を回転させると、有機ＥＬ光源２は回転軸１１回りに回動する。したがって、回転モータ３を回転させて、任意の位置で止めれば、有機ＥＬ照明装置１の照射方向を任意に選ぶことができる（図２（ｂ）参照）。
【００２６】
（第２の実施形態）
第１の実施形態では、基板６の両面（上面及び下面）に第１及び第２の有機ＥＬ素子７，８を積層した例を示したが、図３に示すように、基板６の片面に、第１の有機ＥＬ素子７及び第２の有機ＥＬ素子８を上下に重ねて形成してもよい。なお、この場合、基板６の素材は光反射性の素材を選ぶ。第１及び第２の有機ＥＬ素子７，８から発光される光の内、基板６の裏側（第１及び第２の有機ＥＬ素子７，８が積層されていない側）に放出される光を表側に向けるためである。
【００２７】
基板６の素材を光反射性の素材にする代わりに、図４に示すように、基板６の表面に反射層１０を形成して、反射層１０の上に第１及び第２の有機ＥＬ素子７，８を積層するようにしてもよい。
【００２８】
（第３の実施形態）
第１の実施形態では、回転モータ３を有機ＥＬ光源２に固定した例を示したが、有機ＥＬ光源２と回転モータ３を分離することもできる。例えば、図５に示すように、天井１２から垂下する一対のホルダ１４で、有機ＥＬ光源２を回転自在に支持して、台座１５に固定された回転モータ３の回転軸１１を有機ＥＬ光源２に連結するようにしてもよい。
【００２９】
（第４の実施形態）
あるいは、図６に示すように、有機ＥＬ光源２の一方の側に配置された一本のホルダ１４で、有機ＥＬ光源２を回転自在に支持するとともに、有機ＥＬ光源２を挟んでホルダ１４の反対側に回転モータ３を配置して、回転モータ３の回転軸１１を有機ＥＬ光源２に連結するようにしてもよい。
【００３０】
（第５の実施形態）
第１乃至第４の実施形態では、回転モータ３で有機ＥＬ光源２を回転駆動する例を示したが、有機ＥＬ光源２を人力で回転することもできる。例えば、図７に示すように、天井１２から垂下する一対のホルダ１４で有機ＥＬ光源２を回転自在に支持して、ハンドル１６を手で回して、有機ＥＬ光源２の向きを変えるようにしてもよい。
【００３１】
（第６の実施形態）
あるいは、ハンドル１６を省略することもできる。例えば、図８に示すように、天井１２から垂下する一対のホルダ１４で有機ＥＬ光源２を回転自在に支持して、有機ＥＬ光源２に直接手を掛けて、有機ＥＬ光源２の向きを変えるようにしてもよい。
【００３２】
以上説明したように、有機ＥＬ照明装置１は、電動あるいは手動によって、有機ＥＬ光源２の向きを変えることができるので、有機ＥＬ照明装置１全体の取付位置や取付方向を変えることなく、照明光の方向を変えることができる。
【００３３】
また、有機ＥＬ照明装置１は、単一の基板６の上に複数の有機ＥＬ素子（第１及び第２の有機ＥＬ素子７，８）を積層しているので、複数の有機ＥＬ素子のそれぞれが基板を備える従来の装置に比べて、製造が容易であり、また、装置の軽量化のために好適である。
【００３４】
しかしながら、本明細書で開示された実施形態は、本発明の具体的実施形態の例示にすぎない。したがって、本発明の技術的範囲は、本明細書で開示された実施形態に限定されるものではない。本発明は、特許請求の範囲に記載された技術的思想の範囲において、自在に変形、応用あるいは改良して実施することができる。
【００３５】
例えば、本明細書では、有機ＥＬ光源２に２枚の有機ＥＬ素子（第１及び第２の有機ＥＬ素子７，８）を備えた例を示したが、本発明の装置が備える有機ＥＬ素子は、２枚に限定されない。３枚あるいは４枚、あるいは更に多数の有機ＥＬ素子を備えることができる。有機ＥＬ素子の数を増やせば、発光色や発光強度のバリエーションが拡がるので、有機ＥＬ照明装置による演色効果が向上する。
【００３６】
また、有機ＥＬ素子は基板の両面に積層してもよいし、片面にだけ積層してもよい。また、有機ＥＬ素子を基板の両面に積層する場合、両面の層数を均等にしてもよいし、不均等（例えば、上面に２層、下面に１層）にしてもよい。
【００３７】
また、本明細書に示した有機ＥＬ素子の構造や製法は例示であって、各種公知のあるいは将来実現される有機ＥＬ素子の構造や製造を任意に選択できることは言うまでもない。
【００３８】
また、本明細書では、有機ＥＬ光源２が両持ちで回転支持される例を示したが、本発明の技術的範囲は、有機ＥＬ光源２が両持ちで回転支持されるものに限定されない。片持ち支持で本発明の装置を実現できることは言うまでもない。
【００３９】
また、本発明の有機ＥＬ照明装置は、直接照明用途のみに使用するものではない。設置場所や光源の照射方向を変えることによって、間接照明を行うこともできる。
【符号の説明】
【００４０】
１  有機ＥＬ照明装置
２  有機ＥＬ光源
３  回転モータ
４  点灯回路
５  ケーシング
６  基板
７  第１の有機ＥＬ素子
８  第２の有機ＥＬ素子
９  窓
１０  反射層
１１  回転軸
１２  天井
１３  フレーム
１４  ホルダ
１５  台座
１６  ハンドル
【図１】
0005517193.tif 000002
【図２】
0005517193.tif 000003
【図３】
0005517193.tif 000004
【図４】
0005517193.tif 000005
【図５】
0005517193.tif 000006
【図６】
0005517193.tif 000007
【図７】
0005517193.tif 000008
【図８】
0005517193.tif 000009